(57)【要約】【課題】端子が破損することを防ぐと共に、端子の脱落がし易くなることを防ぐ。【解決手段】本開示におけるコネクタは、電線の端部に取り付けられるコネクタ１０であって、端子２０と、ハウジングと、を備え、ハウジングは、端子収容部３８を有しており、端子収容部３８は、一対の側壁と、前壁３６とを含んで形成され、一対の側壁は、端子２０に沿って配置されており、前壁３６は、一対の側壁における前端部の間に設けられており、端子収容部３８は、端子収容開口４０を有しており、端子収容開口４０は、電線の導出方向と交差する交差方向から端子２０が挿入可能とされており、一対の側壁のうちの少なくとも一方の側壁は、端子係止部４２を有しており、端子係止部４２は、側壁から突出して形成されており、端子係止部４２が形成された側壁と前壁３６とは、分断されている。【選択図】図２
2020166953.tif 000002
【特許請求の範囲】
【請求項１】
電線の端部に取り付けられるコネクタであって、
少なくとも１つの端子と、樹脂製のハウジングと、を備え、
前記端子は、前記電線の端末に接続され、
前記ハウジングは、少なくとも１つの端子収容部を有しており、
前記端子収容部は、一対の側壁と、前壁とを含んで形成され、前記端子を収容すると共に、前記電線を後方に導出しており、
前記一対の側壁は、前記電線の導出方向に前記端子に沿って配置されており、
前記前壁は、前記一対の側壁における前端部の間に設けられており、
前記端子収容部は、端子収容開口を有しており、
前記端子収容開口は、前記一対の側壁と前記前壁とに囲まれて形成され、前記電線の導出方向と交差する交差方向から前記端子が挿入可能とされており、
前記一対の側壁のうちの少なくとも一方の側壁は、端子係止部を有しており、
前記端子係止部は、前記端子収容部内に収容された前記端子と前記交差方向に係止可能に前記側壁から突出して形成されており、
前記端子係止部が形成された前記側壁と前記前壁とは、分断されているコネクタ。
【請求項２】
前記前壁には、前記端子係止部が形成された前記側壁との境界部分にスリットが形成されている請求項１に記載のコネクタ。
【請求項３】
前記スリットは、前記端子係止部の前方に形成された型抜き孔である請求項２に記載のコネクタ。
【発明の詳細な説明】
【技術分野】
【０００１】
本開示は、コネクタに関する。
【背景技術】
【０００２】
例えば、インナー端子を収容するインナーハウジングを備えたシールドコネクタとして、特開２０１７−２２８４４７号公報（下記特許文献１）に記載のものが知られている。インナーハウジングには、上方に向かって開口した上段側端子収容用開口を有する複数の端子収容室が形成されている。端子収容室には、インナー端子を端子収容室内に保持する端子保持部が設けられている。端子保持部は、端子収容室の横壁から横方向に突出すると共に端子収容室の前壁と連なる段差壁部と、段差壁部の下部に凹み形成された曲面状凹部とを有している。
【０００３】
インナー端子は、上段側端子収容用開口から端子収容室に挿入されると、段差壁部によって上段側端子収容用開口から抜け止めされ、曲面状凹部内に保持される。
【先行技術文献】
【特許文献】
【０００４】
【特許文献１】特開２０１７−２２８４４７号公報
【発明の概要】
【発明が解決しようとする課題】
【０００５】
ところで、上記のシールドコネクタによると、端子収容室の上段側端子収容用開口からインナー端子を押し込んで、インナー端子が段差壁部を外側に押し広げるようにして端子収容室の曲面状凹部内に収容される。
【０００６】
しかしながら、端子収容室の横壁が撓みにくい場合には、段差壁部の横壁からの突出寸法を大きくすることができなくなってしまう。すると、インナー端子に対する段差壁部の係止代が小さくなり、端子収容室からインナー端子が外れやすくなってしまう。
段差壁部の突出寸法を大きくすると、横壁が撓みにくい場合、インナー端子を上段側端子収容用開口から強引に押し込むことになり、インナー端子の変形が懸念される。
【０００７】
本明細書では、端子が破損することを防ぐと共に、端子の脱落がし易くなることを防ぐ技術を開示する。
【課題を解決するための手段】
【０００８】
本開示のコネクタは、電線の端部に取り付けられるコネクタであって、少なくとも１つの端子と、樹脂製のハウジングと、を備え、前記端子は、前記電線の端末に接続され、前記ハウジングは、少なくとも１つの端子収容部を有しており、前記端子収容部は、一対の側壁と、前壁とを含んで形成され、前記端子を収容すると共に、前記電線を後方に導出しており、前記一対の側壁は、前記電線の導出方向に前記端子に沿って配置されており、前記前壁は、前記一対の側壁における前端部の間に設けられており、前記端子収容部は、端子収容開口を有しており、前記端子収容開口は、前記一対の側壁と前記前壁とに囲まれて形成され、前記電線の導出方向と交差する交差方向から前記端子が挿入可能とされており、前記一対の側壁のうちの少なくとも一方の側壁は、端子係止部を有しており、前記端子係止部は、前記端子収容部内に収容された前記端子と前記交差方向に係止可能に前記側壁から突出して形成されており、前記端子係止部が形成された前記側壁と前記前壁とは、分断されている。
【発明の効果】
【０００９】
本開示によれば、端子が破損することを防ぐと共に、端子の脱落がし易くなることを防ぐことができる。
【図面の簡単な説明】
【００１０】
【図１】図１は、コネクタの分解斜視図である。
【図２】図２は、ハウジング本体とインナカバーとの組み付け前の状態を示す斜視図である。
【図３】図３は、ハウジング本体の正面図である。
【図４】図４は、ハウジング本体に端子を収容する過程を示した断面図であって、図３のＩＶ−ＩＶ線断面に相当する断面図である。
【図５】図５は、端子収容部に端子が挿入された状態の平面図である。
【図６】図６は、図５のＶＩ−ＶＩ断面図である。
【図７】図７は、従来のハウジング本体の正面図である。
【図８】図８は、従来のハウジング本体の断面図であって、図６の断面に相当する断面図である。
【発明を実施するための形態】
【００１１】
［本開示の実施形態の説明］
最初に本開示の実施形態を列挙して説明する。
【００１２】
（１）電線の端部に取り付けられるコネクタであって、少なくとも１つの端子と、樹脂製のハウジングと、を備え、前記端子は、前記電線の端末に接続され、前記ハウジングは、少なくとも１つの端子収容部を有しており、前記端子収容部は、一対の側壁と、前壁とを含んで形成され、前記端子を収容すると共に、前記電線を後方に導出しており、前記一対の側壁は、前記電線の導出方向に前記端子に沿って配置されており、前記前壁は、前記一対の側壁における前端部の間に設けられており、前記端子収容部は、端子収容開口を有しており、前記端子収容開口は、前記一対の側壁と前記前壁とに囲まれて形成され、前記電線の導出方向と交差する交差方向から前記端子が挿入可能とされており、前記一対の側壁のうちの少なくとも一方の側壁は、端子係止部を有しており、前記端子係止部は、前記端子収容部内に収容された前記端子と前記交差方向に係止可能に前記側壁から突出して形成されており、前記端子係止部が形成された前記側壁と前記前壁とは、分断されている。
【００１３】
端子係止部が形成された側壁と、端子収容部の前壁とが分断されているから、例えば、端子係止部が形成された側壁と前壁とが分断されていない場合に比べて、端子係止部が形成された側壁が端子係止部の突出方向と反対方向に撓み易くなる。
【００１４】
つまり、側壁が撓み易くなることで、端子係止部と端子との係止代を大きくしつつ、端子を端子収容部に挿入し易くできる。これにより、端子の挿入時に端子が損傷することを防ぐことができると共に、端子が端子収容部から脱落することを防ぐことができる。
【００１５】
（２）前記前壁には、前記端子係止部が形成された前記側壁との境界部分にスリットが形成されている構成としてもよい。
【００１６】
例えば、側壁にスリットを形成して前壁と側壁とを分断することによって端子係止部が形成された側壁を撓み易くする方法が考えられる。しかしながら、側壁にスリットを形成すると、撓み変形する側壁の剛性が低下し、側壁が撓み変形する際に破損してしまうことが懸念される。
ところが、このような構成によると、スリットが前壁に形成されているから、撓み変形する側壁の剛性を低下させずに、側壁を撓み易くできる。
【００１７】
（３）前記スリットは、前記端子係止部の前方に形成された型抜き孔である構成としてもよい。
端子係止部を形成するための型抜き孔を前壁のスリットとして形成し、前壁と側壁とを分断することができる。これにより、例えば、型抜き孔とは別にスリットを前壁に形成する場合に比べて、前壁の構成が複雑になることを抑制できる。
【００１８】
また、例えば、スリットと型抜き孔との両方を前壁に形成する場合と比べて、前壁の剛性が低下することを防ぐことができる。
［本開示の実施形態の詳細］
本開示のコネクタの具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００１９】
＜実施形態＞
本開示における一実施形態について図１から図６を参照して説明する。
［コネクタ１０］
本実施形態にかかるコネクタ１０は、シールド電線（「電線」の一例）８０の端部に取り付けられるコネクタとされている。コネクタ１０は、図１に示されるように、シールド電線８０の端末に接続される複数の端子２０と、複数の端子２０を収容するインナハウジング（「ハウジング」の一例）３０と、インナハウジング３０の外周を覆う外導体５０と、外導体５０を収容するアウタハウジング６０とを備えている。
【００２０】
［シールド電線８０］
シールド電線８０は、図１に示されるように、複数の被覆電線８１と、複数の被覆電線８１の外周を覆う編組体８４と、編組体８４の外周を覆う外被覆８６とを備えている。本実施形態のシールド電線８０は、４本の被覆電線８１を備えている。
【００２１】
シールド電線８０の前端部では、編組体８４および外被覆８６が皮剥ぎされることによって４本の被覆電線８１が露出している。露出した４本の被覆電線８１の後方では、外被覆８６のみを皮剥ぎして露出させた編組体８４が外被覆８６の外周に折り返されている。
【００２２】
［端子２０］
端子２０は、導電性を有する金属板材を加工することによって形成されている。端子２０は、雌型の端子であって、図３に示されるように、図示しない相手側端子が接続される端子接続部２２と、シールド電線８０の被覆電線８１に接続される圧着部２６と、端子接続部２２と圧着部２６との間を繋ぐ繋ぎ部２４とを備えている。
【００２３】
端子接続部２２は、前方に向けて矩形状に開口する角筒状に形成されている。圧着部２６は、被覆電線８１の端部において露出した芯線に圧着されることによって被覆電線８１に接続されている。
【００２４】
［インナハウジング３０］
インナハウジング３０は、絶縁性の合成樹脂によって形成されている。インナハウジング３０は、図２に示されるように、前後方向に長い直方体状のハウジング本体（「ハウジング」の一例）３１と、ハウジング本体３１に上方から組み付けられるインナカバー４６と、を備えている。
【００２５】
［ハウジング本体３１］
ハウジング本体３１は、図２および図３に示されるように、底壁３２と、底壁３２の左右方向両側縁から上方に向けて延出された一対の外側壁（「側壁」の一例）３４と、一対の外側壁３４の間に設けられた前壁３６とを備えている。
【００２６】
底壁３２は、前後方向に長い矩形平板状に形成されている。一対の外側壁３４は、底壁３２の左右方向両側の側縁に沿うように前後方向に長い矩形平板状に形成されている。前壁３６は、一対の外側壁３４の間を繋ぐように一対の外側壁３４の前端部の間に設けられている。
【００２７】
前壁３６には、図３に示されるように、ハウジング本体３１の内部に設けられた複数の端子収容部３８に対応する複数の端子挿通孔３６Ａが形成されている。端子挿通孔３６Ａは、前壁３６を前後方向に貫通する矩形状の孔とされている。
【００２８】
前壁３６における外側壁３４側の端部には、前壁３６を前後方向に貫通するスリット３７が形成されている。
スリット３７は、前壁３６における外側壁３４との境界部分において、前壁３６の上端から下方に向かって矩形状に延びて形成されている。つまり、スリット３７は、前壁３６の上端部と外側壁３４の上端部とを分断している。
【００２９】
［端子収容部３８］
複数の端子収容部３８は、ハウジング本体３１の内部において上下左右に並んで形成されている。本実施形態のハウジング本体３１は、図３から図６に示されるように、底壁３２と一対の外側壁３４とによって囲まれた領域を断面十字状の隔壁３９によって分割することにより、４つの端子収容部３８が前後方向に延びて形成されている。
【００３０】
それぞれの端子収容部３８には、端子２０が収容可能とされている。ハウジング本体３１は、それぞれの端子収容部３８に端子２０が収容されると、図４および図５に示されるように、４本の被覆電線８１を後方に導出した状態となる。
【００３１】
隔壁３９は、図３および図６に示されるように、一対の外側壁３４の間を左右方向に延びる矩形平板状の水平隔壁３９Ｗと、水平隔壁３９Ｗの左右方向中央部に設けられた上隔壁（「側壁」の一例）３９Ｕおよび下隔壁３９Ｄとを備えている。
【００３２】
水平隔壁３９Ｗは、底壁３２と上下方向に対向するようにハウジング本体３１の前後方向の全長にわたって形成されている。
下隔壁３９Ｄは、水平隔壁３９Ｗと底壁３２とを上下方向に繋ぐようにしてハウジング本体３１の前後方向の全長にわたって形成されている。
上隔壁３９Ｕは、水平隔壁３９Ｗから上方に向かって延びた形態でハウジング本体３１の前後方向の全長にわたって形成されている。
【００３３】
上隔壁３９Ｕの高さ寸法は、図３および図６に示されるように、一対の外側壁３４が水平隔壁３９Ｗの位置から上方に延びた長さ寸法と実質的に同一とされている。実質的に同一とは、上隔壁３９Ｕの高さ寸法と一対の外側壁３４が水平隔壁３９Ｗから上方に延びた長さ寸法とが同一の場合と、上隔壁３９Ｕの高さ寸法と一対の外側壁３４が水平隔壁３９Ｗから上方に延びた長さ寸法とが同一でない場合でも実質的に同一と見なしうる場合を含む。
【００３４】
４つの端子収容部３８のうちの下段の端子収容部３８は、それぞれが底壁３２と、一対の外側壁３４のうちのいずれか一方の外側壁３４と、水平隔壁３９Ｗと、下隔壁３９Ｄとに囲まれることによって形成されている。
つまり、下段の端子収容部３８は、外側壁３４と下隔壁３９Ｄとが被覆電線８１の導出方向に端子２０に沿って配置されており、ハウジング本体３１の後端に矩形状に形成された開口から端子２０が挿入されるようになっている。
【００３５】
４つの端子収容部３８のうちの上段の端子収容部３８は、それぞれが、水平隔壁３９Ｗと、一対の外側壁３４のうちのいずれか一方の外側壁３４と、上隔壁３９Ｕとに囲まれることによって形成されている。
上段の端子収容部３８には、端子２０が上方向から挿入される端子収容開口４０が形成されている。
【００３６】
［端子収容開口４０］
端子収容開口４０は、図５に示されるように、外側壁３４と、上隔壁３９Ｕと、前壁３６とに囲まれることにより被覆電線８１が導出された方向と交差する方向である上方向に向かって矩形状に開口している。
【００３７】
したがって、上段の端子収容部３８は、外側壁３４と上隔壁３９Ｕとが被覆電線８１の導出方向に端子２０に沿って配置されており、端子収容開口４０から端子２０が挿入されるようになっている。
【００３８】
端子収容開口４０の開口縁部には、図２から図６に示されるように、端子収容部３８に収容された端子２０の上方に配置される端子係止部４２が形成されている。
【００３９】
［端子係止部４２］
端子係止部４２は、外側壁３４の上端縁から端子収容部３８内に向かって突出して形成されている。端子係止部４２は、図３および図６に示されるように、上面が上隔壁３９Ｕに向かうほど水平隔壁３９Ｗに向かって傾斜する傾斜面４２Ｕとされており、下面が水平隔壁３９Ｗと上下方向に対向する係止面４２Ｄとされている。
【００４０】
したがって、端子収容開口４０から上段の端子収容部３８に端子２０を挿入する過程では、端子２０の端子接続部２２が端子係止部４２の傾斜面４２Ｕを押圧する。端子係止部４２の傾斜面４２Ｕが端子接続部２２によって押圧されると、外側壁３４は、スリット３７の下端部を支点に上隔壁３９Ｕから離れる方向（左右方向）に弾性変位する。つまり、外側壁３４は、スリット３７によって前壁３６と分断されているから、例えば、外側壁と前壁とが上下方向の全高にわたって連なっているよりも、上隔壁３９Ｕから離れる方向に弾性変位し易いようになっている。
【００４１】
そして、端子接続部２２が端子係止部４２を乗り越えて端子収容部３８内に収容されると、外側壁３４が弾性復帰し、図６に示されるように、端子係止部４２の係止面４２Ｄが端子接続部２２と上下方向に対向した状態となる。
【００４２】
つまり、端子２０は、端子収容部３８内に収容されると、端子接続部２２と端子係止部４２の係止面４２Ｄとが上下方向に係止する係止代Ｒ１が大きく確保される。これにより、端子収容開口４０からの端子２０の脱落が防がれるようになっている。
【００４３】
端子係止部４２の前面４２Ｆは、図４および図５に示されるように、ハウジング本体３１における前壁３６のスリット３７から前方に臨んでいる。つまり、スリット３７は、ハウジング本体３１を前後方向に型開きする金型によって成形する際に、端子係止部４２の前面４２Ｆを成形する金型の型抜き孔とされている。
【００４４】
［インナカバー４６］
インナカバー４６は、図２に示されるように、前後方向に長い天井壁４７と、天井壁４７の左右方向両側縁に設けられた一対の係止片４８とを有している。天井壁４７は、２つの端子収容開口４０を上方から一括して覆う大きさとされている。一対の係止片４８は、左右方向に弾性変位可能とされている。一対の係止片４８は、外側壁３４に突出して形成された係止突起３５が嵌まり込む係止孔４８Ａが左右方向に貫通して形成されている。
【００４５】
インナカバー４６は、ハウジング本体３１に組み付けられると、天井壁４７が２つの端子収容開口４０を上方から一括して覆うと共に、一対の係止片４８の係止孔４８Ａに外側壁３４の係止突起３５が嵌まり込むことによって係止片４８が外側壁３４に固定される。
【００４６】
［外導体５０］
外導体５０は、導電性を有する金属板材を加工することによって形成されている。外導体５０は、図１に示されるように、インナハウジング３０の外周を覆う角筒状の外導体本体５２と、外導体本体５２の後方に連なる円筒状のシールド圧着部５４とを備えている。
外導体５０は、シールド圧着部５４が外被覆８６の外周に折り返された編組体８４に圧着されることにより、編組体８４に接続されている。
【００４７】
［アウタハウジング６０］
アウタハウジング６０は、図１に示されるように、絶縁性の合成樹脂によって角筒状に形成されている。アウタハウジング６０の内部には、シールド電線８０の前端部に接続された外導体５０が収容可能とされている。
【００４８】
アウタハウジング６０の前端部は、図示しない相手側コネクタと嵌合する嵌合部６２とされている。嵌合部６２の外周には、相手側コネクタとの間をシールする第１シール部材６４が取り付けられる。アウタハウジング６０の後部には、シールド電線８０とアウタハウジング６０との間をシールする第２シール部材６６と、第２シール部材６６を抜け止めするリアホルダ６８が取り付けられるようになっている。
【００４９】
本実施形態は、以上のような構成であって、続いて、コネクタ１０の作用および効果について説明する。
【００５０】
例えば、図７および図８に示されるように、端子収容開口３から端子２を端子収容部４に押し込む従来のハウジング本体１の場合、端子２が側壁５に形成された端子係止部６を押圧して側壁５を押し広げるようにして端子収容部４内に収容される。
しかしながら、図７に示されるように、従来のハウジング本体１における側壁５は、前壁８に対して全高にわたって連結されており、側壁５が撓み難くなっている。したがって、図７および図８に示されるように、端子係止部６の側壁５からの突出寸法を大きくすることができなくなってしまう。すると、端子２に対する端子係止部６の係止代Ｒ２が小さくなり、端子収容部４から端子２が脱落し易くなってしまう。
【００５１】
そこで、例えば、端子係止部６の突出量を大きくすると、端子２に対する端子係止部の係止代を大きくすることができる。しかしながら、端子２に対する端子係止部の係止代が大きいと、側壁５が撓み難いため、端子収容開口３に端子２を強引に押し込むことになり、端子２の変形が懸念される。
【００５２】
そこで、本発明者らは、上記の課題を解決するため、鋭意検討を行った結果、本実施形態の構成を見出した。すなわち、本実施形態は、シールド電線（電線）８０の端部に取り付けられるコネクタ１０であって、少なくとも１つの端子２０と、樹脂製のインナハウジング（ハウジング）３０と、を備えている。
【００５３】
端子２０は、シールド電線８０の被覆電線８１の端末に接続され、インナハウジング３０は、少なくとも１つの端子収容部３８を有しており、端子収容部３８は、一対の外側壁３４と、前壁３６とを含んで形成され、端子２０を収容すると共に、被覆電線８１を後方に導出している。
【００５４】
一対の外側壁３４は、被覆電線８１の導出方向に端子２０に沿って配置されており、前壁３６は、一対の外側壁３４における前端部の間に設けられている。端子収容部３８は、端子収容開口４０を有しており、端子収容開口４０は、一対の外側壁３４と前壁３６とに囲まれて形成され、被覆電線８１の導出方向と交差する交差方向から端子２０が挿入可能とされている。
【００５５】
一対の外側壁３４のうちの少なくとも一方の外側壁３４は、端子係止部４２を有しており、端子係止部４２は、端子収容部３８内に収容された端子２０と交差方向に係止可能に外側壁３４から突出して形成されており、端子係止部４２が形成された外側壁３４と前壁３６とは、分断されている。
【００５６】
本実施形態は、図２、図３、図５および図６に示されるように、端子係止部４２が形成された外側壁３４と、前壁３６とが分断されている。したがって、例えば、図７に示すように、端子係止部６が形成された側壁５と前壁８とが全高にわたって連結されている場合に比べて、端子係止部４２が形成された外側壁３４が端子係止部４２の突出方向と反対方向に撓み易くなる。
【００５７】
つまり、外側壁３４が撓み易くなることにより、端子係止部４２と端子２０との係止代Ｒ１を大きくしつつ、端子２０を端子収容開口４０から端子収容部３８に挿入し易くできる。これにより、端子２０の挿入時に端子２０が損傷することを防ぐことができると共に、端子２０が端子収容部３８から脱落することを防ぐことができる。
【００５８】
前壁３６には、端子係止部４２が形成された外側壁３４との境界部分にスリット３７が形成されている。
例えば、側壁にスリットを形成して前壁と側壁とを分断することによって端子係止部が形成された側壁を撓み易くする方法が考えられる。しかしながら、側壁にスリットを形成すると、撓み変形する側壁の剛性が低下し、側壁が撓み変形する際に破損してしまうことが懸念される。
【００５９】
ところが、本実施形態は、スリット３７が前壁３６に形成されているから、撓み変形する外側壁３４の剛性を低下させずに、外側壁３４を撓み易くできる。
【００６０】
スリット３７は、端子係止部４２の前方に形成された型抜き孔である。
端子係止部４２を形成するための型抜き孔を、前壁３６のスリット３７として形成し、前壁３６と端子係止部４２が形成された外側壁３４とを分断することができる。
【００６１】
つまり、型抜き孔を、前壁３６と外側壁３４とを分断するスリット３７として兼用することができるから、例えば、型抜き孔とは別にスリットを前壁に形成する場合に比べて、前壁３６の構成が複雑になることを抑制できる。また、例えば、スリットと型抜き孔との両方を前壁に形成する場合比べて、前壁３６の剛性が低下することを防ぐことができる。
【００６２】
＜他の実施形態＞
（１）上記実施形態では、インナハウジング３０は、ハウジング本体３１と、ハウジング本体３１に組み付けられるインナカバー４６とを有する構成とした。しかしながら、これに限らず、インナハウジングがインナカバーを有さない構成にしてもよい。
【００６３】
（２）上記実施形態では、端子係止部４２を形成する為の型抜き孔を、前壁３６と外側壁３４とを分断するためのスリット３７として兼用する構成とした。しかしながら、これに限らず、端子係止部をスライド金型によって形成するなど、前壁に型抜き孔を設けずに、前壁に型抜き孔とは異なるスリットを個別に設ける構成にしてもよい。
【００６４】
（３）上記実施形態では、インナハウジング３０が、４つの端子収容部３８を有する構成とした。しかしながら、これに限らず、端子収容部は、１つであってもよく、５つ以上に構成してもよい。
（４）上記実施形態では、端子係止部４２が、外側壁３４のみに設けられた構成にした。しかしながら、これに限らず、端子係止部は、外側壁と上隔壁の双方に形成されていてもよい。
【００６５】
（５）上記実施形態では、外導体５０と、アウタハウジング６０とを備え、シールド電線８０に取り付けられるコネクタ１０を一例として示した。しかしながら、これに限らず、外導体やアウタハウジングを備えておらず、被覆電線に取り付けられるコネクタに本明細書で開示した技術を適用してもよい。
【符号の説明】
【００６６】
１：  インナハウジング
２：  端子
３：  端子収容開口
４：  端子収容部
５：  側壁
６：  端子係止部
１０：  コネクタ
２０：  端子
２２：  端子接続部
２４：  繋ぎ部
２６：  圧着部
３０：  インナハウジング（「ハウジング」の一例）
３１：  ハウジング本体（「ハウジング」の一例）
３２：  底壁
３４：  外側壁（「側壁」の一例）
３５：  係止突起
３６：  前壁
３６Ａ：  端子挿通孔
３７：  スリット
３８：  端子収容部
３９：  隔壁
３９Ｄ：  下隔壁
３９Ｕ：  上隔壁
３９Ｗ：  水平隔壁
４０：  端子収容開口
４２：  端子係止部
４２Ｄ：  係止面
４２Ｆ：  前面
４２Ｕ：  傾斜面
４６：  インナカバー
４７：  天井壁
４８：  係止片
４８Ａ：  係止孔
５０：  外導体
５２：  外導体本体
５４：  シールド圧着部
６０：  アウタハウジング
６２：  嵌合部
６４：  第１シール部材
６６：  第２シール部材
６８：  リアホルダ
８０：  シールド電線（「電線」の一例）
８１：  被覆電線
８４：  編組体
８６：  外被覆
Ｒ１：  係止代
Ｒ２：  係止代
【図１】
2020166953.tif 000003
【図２】
2020166953.tif 000004
【図３】
2020166953.tif 000005
【図４】
2020166953.tif 000006
【図５】
2020166953.tif 000007
【図６】
2020166953.tif 000008
【図７】
2020166953.tif 000009
【図８】
2020166953.tif 000010